(57)【特許請求の範囲】
【請求項１】
自動車に牽引される砂地用ゴミ収集装置であって、
左右一対の側壁、当該側壁の後端側に配置される背面板、及び、被牽引部が設けられ当該側壁の前端側に配置される牽引板、を上面視略ロ字状に接合することにより構成され、上面及び底面が開口するとともに、当該牽引板が当該側壁の上辺側に接合されることにより当該牽引板の下方が開口する牽引フレームと、
網目状のふるい部が形成された矩形状の底枠体、当該底枠体の後縁に立設された後面形成体、及び、前記側壁のそれぞれに対向して配置される当該底枠体及び当該後面形成体に接合された左右一対の側面形成体を備え、上面及び前面が開放されるとともに、前記牽引フレームの内側に配置可能な収集カゴと、
前端が前記自動車に上下方向揺動可能に取り付けられ後端に前記被牽引部が上下方向揺動可能に連結される牽引アーム、及び、当該牽引アームを上下方向に揺動させる油圧アクチュエータ、を備える牽引フレーム昇降機構と、
基端部が前記側壁に上下方向揺動可能に取り付けられ先端部が前記側面形成体に上下方向揺動可能に連結される傾動アーム、当該傾動アームを押し上げる方向に組み付けられるバネ部材、当該バネ部材の復元力に抗して前記牽引フレームと略平行に配置された前記収集カゴの移動を規制するロック手段、を備える収集カゴ昇降機構と、
を有することを特徴とする砂地用ゴミ収集装置。
【請求項２】
前記牽引フレームには左右一対の車輪が取り付けられており、
当該車輪は、いずれも、前記側面形成体の外側で、かつ、前記背面板より後方に配置されることを特徴とする請求項１記載の砂地用ゴミ収集装置。
【請求項３】
前記傾動アームが着脱手段を介して前記側面形成体に上下方向揺動可能に連結されており、
当該着脱手段が、
前記傾動アームの先端部に取り付けられ、レバー操作によりピン部材を挿脱可能な開状態とピン部材を嵌合する閉状態とに切り換わる上部受金具と、
前記側面形成体の外側面に突設されるピン部材としての連結用ピンと、
により構成されることを特徴とする請求項１又は２記載の砂地用ゴミ収集装置。
【請求項４】
前記ロック手段が、前記収集カゴの前方に設けられる第１ロック手段、及び、前記収集カゴの後方に設けられる第２ロック手段、により構成され、
前記第１ロック手段が、
前記側壁の内側面に取り付けられ、レバー操作によりピン部材を挿脱可能な開状態とピン部材を嵌合する閉状態とに切り換わる上部受金具と、
前記側面形成体外側面のうち、前記収集カゴが前記牽引フレームに対して略平行に配置された状態において当該上部受金具に挿入可能な位置に突設されるピン部材としてのロック用ピンと、
を有し、
前記第２ロック手段が、
前記背面板および前記後面形成体のそれぞれに設けられ、前記収集カゴが前記牽引フレームに対して略平行に配置された状態において相互に連通する挿通孔と、
当該挿通孔に係合するカギ部材と、
を有することを特徴とする請求項１ないし３のいずれか１項に記載の砂地用ゴミ収集装置。
【請求項５】
下向きに延びる傾斜部を備える鋼製プレートにより形成される縦刃が、前記底枠体の前縁に沿ってクシ歯状に所定の間隔で複数取り付けられることを特徴とする請求項１ないし４のいずれか１項に記載の砂地用ゴミ収集装置。
【請求項６】
前記底枠体の前縁に沿って配置され、端部が前記側面形成体に固定される第１及び第２ロッドと、
前記第１又は第２ロッドに挿入される複数の筒体と、
を有し、
前記縦刃には、前記第１ロッドの挿入孔と前記第２ロッドの挿入孔が穿設されており、
前記第１及び第２ロッドのそれぞれに前記筒体と前記縦刃とが交互に挿入されることにより、前記縦刃が、前記底枠体の前縁に沿ってクシ歯状に所定の間隔で取り付けられることを特徴とする請求項５記載の砂地用ゴミ収集装置。
【請求項７】
前記底枠体の前方において前記底枠体の前縁に沿って配置され、端部が前記側壁に支持される回転軸と、
前記回転軸に装着されるローラーと、
を有し、
前記ローラーが、
前記回転軸の軸心に直交する方向に延びるフランジ部と、
帯状の鋼板をねじることにより形成され、前記回転軸に沿って配置される羽根部と、
を備え、
前記羽根部が、前記フランジ部の外周縁側に接合されることにより、前記回転軸に対して離隔して配置されることを特徴とすることを特徴とする請求項１ないし６のいずれか１項に記載の砂地用ゴミ収集装置。
【発明の詳細な説明】
【技術分野】
【０００１】
本発明は、バギーカー（Ｂｕｇｇｙ  Ｃａｒ）等の自動車により牽引され、砂地に散乱したゴミを収集する砂地用ゴミ収集装置に関する。
【背景技術】
【０００２】
海水浴場等の砂浜には、空き缶、紙くず、プラスチック容器、割り箸やストロー、石、貝殻、各種漂着物等のゴミが散乱している。これらのゴミを収集するための手段として、前方が開口したカゴを、砂浜を走行することが可能な不整地走行車両（バギーカー等）で牽引することにより、砂地に散乱したゴミを前方からカゴ内に取り込んで捕集するゴミ収集装置が知られている（例えば、特許文献１参照）。
【先行技術文献】
【特許文献】
【０００３】
【特許文献１】特許第５３１５４６２号公報
【発明の概要】
【発明が解決しようとする課題】
【０００４】
前述のカゴ内に捕集されたゴミは、所定の場所まで牽引された後に集積されるが、カゴ内からゴミを取り出す作業が負担であった。例えば、特許文献１に開示される技術によれば、ゴミを集積する際には、回収体に捕集されたゴミを作業員が拾い出す必要があり負担である。
【０００５】
本発明は、上記課題に鑑みてなされたものであり、作業員の負担を軽減する等して、清掃効率を向上させることが可能な砂地用ゴミ収集装置を提供することを目的とする。
【課題を解決するための手段】
【０００６】
本発明に係るゴミ収集装置は、
自動車に牽引される砂地用ゴミ収集装置であって、
左右一対の側壁、当該側壁の後端側に配置される背面板、及び、被牽引部が設けられ当該側壁の前端側に配置される牽引板、を上面視略ロ字状に接合することにより構成され、上面及び底面が開口するとともに、当該牽引板が当該側壁の上辺側に接合されることにより当該牽引板の下方が開口する牽引フレームと、
網目状のふるい部が形成された矩形状の底枠体、当該底枠体の後縁に立設された後面形成体、及び、前記側壁のそれぞれに対向して配置され当該底枠体及び当該後面形成体に接合された左右一対の側面形成体を備え、上面及び前面が開放されるとともに、前記牽引フレームの内側に配置可能な収集カゴと、
前端が前記自動車に上下方向揺動可能に取り付けられ後端に前記被牽引部が上下方向揺動可能に連結される牽引アーム、及び、当該牽引アームを上下方向に揺動させる油圧アクチュエータ、を備える牽引フレーム昇降機構と、
基端部が前記側壁に上下方向揺動可能に取り付けられ先端部が前記側面形成体に上下方向揺動可能に連結される傾動アーム、当該傾動アームを押し上げる方向に組み付けられるバネ部材、当該バネ部材の復元力に抗して前記牽引フレームと略平行に配置された前記収集カゴの移動を規制するロック手段、を備える収集カゴ昇降機構と、
を有することを特徴とする。
【０００７】
前述の砂地用ゴミ収集装置は、好ましくは、前記牽引フレームには左右一対の車輪が取り付けられており、当該車輪は、いずれも、前記側面形成体の外側で、かつ、前記背面板より後方に配置されるものである。
【０００８】
前述の砂地用ゴミ収集装置は、より好ましくは、前記傾動アームが着脱手段を介して前記側面形成体に上下方向揺動可能に連結されており、
当該着脱手段が、
前記傾動アームの先端部に取り付けられ、レバー操作によりピン部材を挿脱可能な開状態とピン部材を嵌合する閉状態とに切り換わる上部受金具と、
前記側面形成体の外側面に突設されるピン部材としての連結用ピンと、
により構成される。
また、前述の砂地用ゴミ収集装置は、より好ましくは、
前記ロック手段が、前記収集カゴの前方に設けられる第１ロック手段、及び、前記収集カゴの後方に設けられる第２ロック手段、により構成され、
前記第１ロック手段が、
前記側壁の内側面に取り付けられ、レバー操作によりピン部材を挿脱可能な開状態とピン部材を嵌合する閉状態とに切り換わる上部受金具と、
前記側面形成体外側面のうち、前記収集カゴが前記牽引フレームに対して略平行に配置された状態において当該上部受金具に挿入可能な位置に突設されるピン部材としてのロック用ピンと、
を有し、
前記第２ロック手段が、
前記背面板および前記後面形成体のそれぞれに設けられ、前記収集カゴが前記牽引フレームに対して略平行に配置された状態において相互に連通する挿通孔と、
当該挿通孔に係合するカギ部材と、
を有するものである。
【０００９】
さらに、前述の砂地用ゴミ収集装置は、下向きに延びる傾斜部を備える鋼製プレートにより形成される縦刃が、前記底枠体の前縁に沿ってクシ歯状に所定の間隔で複数取り付けられることが望ましい。
かかる形態の砂地用ゴミ収集装置においては、より望ましくは、
前記底枠体の前縁に沿って配置され、端部が前記側面形成体に固定される第１及び第２ロッドと、
前記第１又は第２ロッドに挿入される複数の筒体と、
を有し、
前記縦刃には、前記第１ロッドの挿入孔と前記第２ロッドの挿入孔が穿設されており、
前記第１及び第２ロッドのそれぞれに前記筒体と前記縦刃とが交互に挿入されることにより、前記縦刃が、前記底枠体の前縁に沿ってクシ歯状に所定の間隔で取り付けられる。
【００１０】
加えて、前述の砂地用ゴミ収集装置は、前記縦刃の前方において前記底枠体の前縁に沿って配置され、端部が前記側壁に支持される回転軸と、
前記回転軸に装着されるローラーと、
を有し、
前記ローラーが、
前記回転軸の軸心に直交する方向に延びるフランジ部と、
帯状の鋼板をねじることにより形成され、前記回転軸に沿って配置される羽根部と、
を備え、
前記羽根部が、前記フランジ部の外周縁側に接合されることにより、前記回転軸に対して離隔して配置されることが望ましい。
【発明の効果】
【００１１】
本発明によれば、作業員の負担を軽減する等して、清掃効率を向上させることが可能な砂地用ゴミ収集装置を提供することができる。
【図面の簡単な説明】
【００１２】
【図１】砂地用ゴミ収集装置の牽引フレーム昇降機構の作動を示す側面図である。
【図２】砂地用ゴミ収集装置の収集カゴ昇降機構の作動を示す第１の斜視図である。
【図３】砂地用ゴミ収集装置の収集カゴ昇降機構の作動を示す第２の斜視図である。
【図４】砂地用ゴミ収集装置の収集カゴ昇降機構の作動を示す内部構造説明図である。
【図５】一実施の形態である縦刃の構成を説明するための斜視図である。
【図６】一実施の形態であるローラーの構成を示す図である。
【発明を実施するための形態】
【００１３】
以下、適宜図面を参照しつつ本発明を具体的に説明するが、本発明は図面に示す実施の形態に限定されるものではなく、本発明の要旨を変更しない限りにおいて適宜変更可能である。なお、説明の便宜上、バギーカーＣの前進方向を前方とし、前方を向いた操縦者を基準として前後左右の表現を用いる。
【００１４】
砂地用ゴミ収集装置１は、鞍乗り型の不整地走行車両であるバギーカーＣに牽引されることにより砂浜等の砂上を走行して、砂地に散乱したゴミを収集する装置である。図１は、バギーカーＣに連結された砂地用ゴミ収集装置１の牽引フレーム昇降機構４の作動を示す側面図であり、特に図１（ａ）は略水平状態の牽引フレーム２に対して収集カゴ３が略平行に配置された状態を示し、図１（ｂ）は牽引フレーム２を吊り上げた状態を示し、図１（ｃ）は図１（ｂ）に示す位置から収集カゴ３を起き上げた状態を示す。ゴミを収集する場合には、図１（ａ）に示す状態として、バギーカーＣを前進させることにより、砂地用ゴミ収集装置１を牽引して、開放された収集カゴ３の上面及び前面側からゴミを取り込んで収集する。なお、牽引車両としては、バギーカーＣに限らず、砂地（不整地）を走行することが可能なものであれば各種の自動車を利用することができる。
【００１５】
図２は、砂地用ゴミ収集装置１の収集カゴ昇降機構５、６の作動を示す第１の斜視図であり、特に、図２（ａ）はロック手段１０、１１、１２により牽引フレーム２と収集カゴ３とが略平行に配置された状態を示し、図２（ｂ）は図２（ａ）に示す位置からロック手段１０、１１、１２を解除した状態を示し、図２（ｃ）は図２（ｂ）に示す位置から収集カゴ３を起き上げた状態を示す。図３は、砂地用ゴミ収集装置１の収集カゴ昇降機構５、６の作動を示す第２の斜視図であり、特に、図３（ａ）は図２（ｃ）に示す位置から収集カゴ３を取り外した状態を示し、図３（ｂ）は図３（ａ）を左側面方向から描いた図である。図４は、砂地用ゴミ収集装置１の収集カゴ昇降機構６の作動を示す内部構造説明図であり、特に図４（ａ）は図１（ａ）に示す状態の砂地用ゴミ収集装置１の内部構造を示しており、図４（ｂ）は図４（ａ）に示す位置からロック手段１０、１１、１２を解除した状態を示し、図４（ｃ）は図４（ｂ）に示す状態から収集カゴ３を起き上げた状態を示し、図４（ｄ）は図４（ｃ）に示す状態から収集カゴ３を取り外した状態を示す。
【００１６】
砂地用ゴミ収集装置１は、バギーカーＣに連結される牽引フレーム２と、牽引フレーム２の内側に配置可能な収集カゴ３と、牽引フレーム２を上下動させる牽引フレーム昇降機構４と、収集カゴ３を上下動させる収集カゴ昇降機構５、６と、牽引フレーム２に対する収集カゴ３の移動を規制するロック手段１０、１１、１２と、を有する。かかる構成を有する砂地用ゴミ収集装置１によれば、図１（ａ）及び図４（ａ）に示すように、牽引フレーム２及び収集カゴ３を水平に配置した状態で砂地上を牽引して、砂地に散乱したゴミを収集することができる。また、牽引フレーム昇降機構４と収集カゴ昇降機構５、６とを作動させて収集カゴ３を起き上げることができるので（図１（ｃ）、図２（ｃ）参照）、収集カゴ３からのゴミの取り出し作業を容易かつ短時間で行うことができ、清掃効率が向上する。以下、各構成について詳細に説明する。
【００１７】
牽引フレーム２は、左右一対の側壁２１、２２、側壁２１、２２の後端側に配置される背面板２３、及び、被牽引部２４２が突設され側壁２１、２２の前端側に配置される牽引板２４、を上面視略ロ字状に接合することにより構成され、上面及び底面が開口するとともに、牽引板２４が側壁２１、２２の上辺側に接合されることにより牽引板２４の下方が開口する、鋼板製の組立体であり、バギーカーＣにより牽引される。
【００１８】
側壁２１、２２は、左右対称形状の鋼板により形成され、所定の間隔を設けて平行に対向して配置される。これらの側壁２１、２２は、その高さ寸法が側壁２１、２２の前端部から後端部に向けて段階的に大きくなるように設定されており、収集カゴ３を起き上げたときに、収集カゴ３内の砂や粉塵等が周囲に飛散しにくい形状となっている。背面板２３は、側壁２１、２２の後端側を相互に連結する部材であるが、好ましくは、側壁２１、２２の底辺側に略水平に配置されることにより、整地板として、即ち背面板２３により砂地をならしながら走行することができる。
【００１９】
牽引板２４は、側壁２１、２２の上辺側前端部を相互に連結する帯状の鋼板部２４１と、鋼板部２４１の前面側略中央部に設けられる被牽引部２４２とを備える。牽引板２４が側壁２１、２２の上辺側に接合されることにより、牽引フレーム２はバギーカーＣ側から見て門形に開口しており、ゴミは当該開口部を通過して収集カゴ３内に取り込まれる。被牽引部２４２は前方に向けてＵ字状に突設され、後述のフック４２に着脱自在に掛け留められるようになっている。
【００２０】
収集カゴ３は、網目状のふるい部３１１が形成された矩形状の底枠体３１、底枠体３１の後縁に立設された後面形成体３２、及び、側壁２１、２２のそれぞれに対向して配置され底枠体３１及び後面形成体３２に接合された左右一対の側面形成体３３、３４を備え、牽引フレーム２の内側に配置可能な、前面及び上面の二面が開放されたゴミ捕集体である。底枠体３１は、鋼製パイプを格子状に接合してなる矩形状の枠体に対して化繊ネットを取り付けてなるふるい部３１１を備えており、ふるい部３１１の網目状の隙間からゴミとともに取り込まれた砂粒がふるい落とされる。なお、化繊ネットに代えて、金網等を用いても良い。
【００２１】
後面形成体３２は、背面板２３に対向して配置される部材であり、底枠体３１の後縁に略直角に立設される。側面形成体３３、３４は、側壁２１、２２に対向して配置される左右一対の対称形状の部材であり、底枠体３１の両側縁に略直角に立設される。本実施の形態においては、側面形成体３３、３４及び後面形成体３２のそれぞれは、底枠体３１と同様、鋼製パイプを格子状に接合してなる矩形状の枠体に対して化繊ネットを取り付けてなるふるい部を備えており、側面および後面側からも砂がふるい落とされるようになっている。なお、側面形成体及び後面形成体は、鋼板で形成し、ふるい部を設けなくても良い。
【００２２】
牽引フレーム昇降機構４は、前端がバギーカーＣに上下方向揺動可能に取り付けられ、後端に被牽引部２４２が上下方向揺動可能に連結される牽引アーム４１、及び、牽引アーム４１を上下方向に揺動させる油圧アクチュエータ４３、を備える。牽引アーム４１は、バギーカーＣの後端から後方に向けて直線的に延びる角鋼により形成される本体部と、当該本体部の後端に設けられＵ字状の被牽引部２４２が掛け留められるフック４２を備える。砂地用ゴミ収集装置１は、牽引アーム４１を介して牽引され、バギーカーＣに追従して走行するが、自在に変形する従来のチェーン（鎖）を用いた牽引手段とは異なり、バギーカーＣと砂地用ゴミ収集装置１とが常に離隔されるので、急ブレーキをかけたり、バギーカーＣを後退移動（後進）させたりした場合でも、バギーカーＣに砂地用ゴミ収集装置１を衝突させるおそれがない。
【００２３】
油圧アクチュエータ４３は、図１（ｂ）に示すように、先端部が牽引アーム４１に上下方向揺動可能に取り付けられるピストンロッド４３１と、基端部がバギーカーＣに上下方向揺動可能に取り付けられる油圧シリンダ４３２とを備えている。本実施の形態においては、牽引アーム４１の下側に油圧アクチュエータ４３が配置され、ピストンロッド４３１の先端部と牽引アーム４１の後端部とがピン接合されており、ピストンロッド４３１を伸長させることにより、牽引アーム４１を下側から持ち上げて牽引フレーム２を収集カゴ３ごと吊り上げることができる。
【００２４】
油圧アクチュエータ４３の作動スイッチは、座席Ｓ後部の手の届く位置に配置されるスイッチボックス１９に組み込むようにしても良い。バギーカーＣに搭乗した作業者は、後ろ向きになって後方の安全を確認しながら、作動スイッチを操作することができる。
【００２５】
収集カゴ昇降機構５は、基端部が牽引フレーム２の左方の側壁２１に上下方向揺動可能に取り付けられ先端部が収集カゴ３の左方の側面形成体３３に上下方向揺動可能に連結される傾動アーム５１、傾動アーム５１を押し上げる方向に組み付けられるバネ部材としてのガススプリング５２、ガススプリング５２の復元力に抗して牽引フレーム２と略平行に配置された収集カゴ３の移動を規制するロック手段１０、１１、１２を備える。同様に、収集カゴ昇降機構６は、基端部が牽引フレーム２の右方の側壁２２に上下方向揺動可能に取り付けられ先端部が収集カゴ３の右方の側面形成体３４に上下方向揺動可能に連結される傾動アーム６１、傾動アーム６１を押し上げる方向に組み付けられるバネ部材としてのガススプリング６２、ガススプリング６２の復元力に抗して牽引フレーム２と略平行に配置された収集カゴ３の移動を規制するロック手段１０、１１、１２を備える。なお、ガススプリング５２、６２はバネ部材の一例に過ぎない。
【００２６】
傾動アーム５１は、その基端部が側壁２１の後端側内側面にピン接合により上下方向揺動可能に取り付けられており、先端部が側面形成体３３の下辺側外側面に突設された連結用ピン７１（図３（ｂ）参照）に上下方向揺動可能に取り付けられている。ガススプリング５２は、一端が傾動アーム５１の先端側に上下方向揺動可能にピン接合され、基端部が側壁２１の内側面にピン接合により上下方向揺動可能に取り付けられる。同様に、傾動アーム６１は、その基端部が側壁２２の後端側内側面にピン接合により上下方向揺動可能に取り付けられており、先端部が側面形成体３４の下辺側外側面に突設された連結用ピン８１（図３（ａ）参照）に上下方向揺動可能に取り付けられている。ガススプリング６２は、一端が傾動アーム６１の先端側に上下方向揺動可能にピン接合され、基端部が側壁２２の内側面にピン接合により上下方向揺動可能に取り付けられる。これらのガススプリング５２、６２は、ガスの反力が傾動アーム５１、６１を押し（起き）上げる方向に付勢された状態、即ち、傾動アーム５１、６１をその先端が前方を向くように寝かせた状態においてガススプリング５２、６２が圧縮するように取り付けられている。ロック手段は、ガススプリング５２が押し縮められた状態において牽引フレーム２と略平行に配置された収集カゴ３の移動を規制するものであり、後説する第１ロック手段１０、１１及び第２ロック手段１２により構成される。
【００２７】
上述の構成を有する砂地用ゴミ収集装置１によれば、収集カゴ３内に捕集されたゴミを取り出す際に、作動スイッチを操作して油圧力により収集カゴ３ごと牽引フレーム２を吊り上げた後（図２（ａ）参照）、第１及び第２ロック手段を解除することにより、ガススプリング５２、６２を備える収集カゴ昇降機構５、６の作用により、図２（ｂ）に示す状態にまで、ゴミが積載された収集カゴ３を容易に起き上げることができる。次いで、人力により連結用ピン７１、８１を回転中心として収集カゴ３を垂直に近い状態にまで起き上げ（図２（Ｃ）参照）、収集カゴ３内のゴミを後面形成体３２側に寄せ集めて、ゴミの取り出し作業を容易かつ短時間で行うことができ、ゴミ収集の負担を軽減し、清掃効率を向上させることが可能となる。
【００２８】
収集カゴ３は、収集カゴ昇降機構５、６を介して、牽引フレーム２の内側に配置されることにより、図４（ａ）に示すように、牽引フレーム２及び収集カゴ３を略水平に配置した状態において、収集カゴ３が牽引フレーム２の底部からやや浮いた状態となる。従って、砂地上を牽引したとき、底枠体３１のふるい部３１１から収集カゴ３の内部に砂が入りにくい反面、収集カゴ３内の砂が底枠体３１のふるい部３１１から抜け落ちやすくなる。
【００２９】
砂地用ゴミ収集装置は、好ましくは、以下の構成を有する。
【００３０】
すなわち、牽引フレーム２には左右一対の車輪９が取り付けられており、当該車輪９は、いずれも、側面形成体３３、３４の外側で、かつ、背面板２３より後方に配置される。車輪９を取り付けることにより、車輪９が輪転して牽引フレーム２をスムーズに吊り上げることができる。車輪９を側面形成体３３、３４の外側に配置することにより、牽引フレーム２から収集カゴ３を取り外す際に車輪９が邪魔とならない。また、背面板２３より後方に配置することにより、牽引フレーム２の後端部を地面に接触させずに牽引フレーム２を吊り上げることができる。
【００３１】
左側面形成体３３側に配置される傾動アーム５１は、好ましくは、着脱手段を介して側面形成体３３に上下方向揺動可能に連結される。当該着脱手段は、傾動アーム５１の先端部に取り付けられ、レバー操作によりピン部材を挿脱可能な開状態とピン部材を嵌合する閉状態とに切り換わる上部受金具７２と、側面形成体３３の外側面に突設される当該ピン部材としての連結用ピン７１と、により構成される。なお、右側面形成体３４側に配置される傾動アーム６１についても同様の構成をとるので説明を省略する。
【００３２】
上部受金具７２、８２は、ダンプ上部受とも称され、ダンプカーに装備される従来一般に用いられる締結金具である（例えば、実開平２−４２８４１号公報記載の「４上部受金具」参照）。上部受金具７２、８２は、レバー部と、当該レバー部の一端に設けられ側面視Ｃ字状の開口溝を備える可動部と、当該可動部を挟み込むように配置され側面視Ｃ字状の開口溝を備える基台部と、を有し、当該可動部が当該基台部に対して所定の回転角度内で回動可能に取り付けられており、可動部及び基台部のそれぞれの開口溝が一致する位置にレバー部を操作することによりピン部材を挿脱可能な開状態に切り換えることができる。傾動アーム５１、６１には上部受金具７２、８２の基台部が固定されている。
【００３３】
連結用ピン７１、８１は、側面形成体３３、３４外側面の所定の位置（側面形成体３３、３４の下辺略中腹部）に突設されている。よって、上部受金具７２、８２により連結用ピン７１、８１を挟み込んで閉じた状態において、後述する第１ロック手段１０、１１及び第２ロック手段１２を解除することにより、連結用ピン７１、８１を回転中心として収集カゴ３を傾動させることができる。また、後述する第１ロック手段１０、１１及び第２ロック手段１２を解除した状態において、レバー部を把持して左右それぞれの上部受金具７２、８２を開状態とすることにより、収集カゴ３を取り外すことができる。収集カゴ３の取り外しは、例えば、ゴミの収集効率を向上すべく、縦刃１３やふるい部３１１の種類又は大きさが異なる収集カゴに変更したい場合や、収集カゴのメンテナンスが必要な場合に実行される。
【００３４】
砂地用ゴミ収集装置１は、より好ましくは、ロック手段が、収集カゴ３の前方に設けられる第１ロック手段１０、１１、及び、収集カゴ３の後方に設けられる第２ロック手段１２、により構成される。そして、第１ロック手段１０、１１が、側壁２１、２２の内側面に取り付けられ、レバー操作によりピン部材を挿脱可能な開状態とピン部材を嵌合する閉状態とに切り換わる上部受金具１０１、１１１と、側面形成体３３、３４外側面のうち、収集カゴ３が牽引フレーム２に対して略平行に配置された状態において上部受金具１０１、１１１に挿入可能な位置に突設されるピン部材としてのロック用ピン１０２、１１２と、を有する。かかる第１ロック手段１０、１１は、収集カゴ３の左右両側にそれぞれ設けられるが、いずれか一方だけでも本発明を実施することは可能である。上部受金具１０１、１１１は、前述の上部受金具７２、８２と同一構成であるので、説明を省略する。
【００３５】
また、第２ロック手段１２は、背面板２３および後面形成体３２のそれぞれに設けられる挿通孔と、当該挿通孔に係合するカギ部材１２２と、を有する、背面板２３に設けられる挿通孔１２１および後面形成体３２に設けられる挿通孔は、収集カゴ３が前記牽引フレーム２に対して略平行に配置された状態において相互に連通する位置に形成されている。カギ部材１２２は、軸部と、当該軸部の先端に一体として設けられる係合部とを有し、挿通孔に挿入して捻ることにより係合して挿通孔からの脱落が防止される。第１及び第２ロック手段１０、１２によれば、ガススプリング５２、６２のガス反力に抗して、収集カゴ３が牽引フレーム２に対して略平行に配置された状態を保持することができる。
【００３６】
図５は、一実施の形態である縦刃１３の構成を説明するための斜視図である。砂地用ゴミ収集装置１は、下向きに延びる傾斜部１３１を備える鋼製プレートにより形成される縦刃１３が、底枠体３１の前縁に沿ってクシ歯状に所定の間隔で複数取り付けられる。縦刃１３を設けることにより、ゴミを収集カゴ３内にすくい上げることができる。それぞれの縦刃１３は垂直（縦方向）に立設されていることから、水平に取り付けられている場合に比して、ゴミを巻き込んだり障害物やゴミが衝突したりした場合でも変形しにくい。
【００３７】
砂地用ゴミ収集装置１は、更に望ましくは、図５に示すように、底枠体３１の前縁に沿って配置され、端部が側面形成体３３、３４に固定される第１及び第２ロッド１４、１５と、第１又は第２ロッド１４、１５に挿入される複数の筒体１６と、を有する。そして、縦刃１３には、第１ロッド１４の挿入孔と第２ロッド１５の挿入孔が穿設されており、第１及び第２ロッド１４、１５のそれぞれに筒体１６と縦刃１３とが交互に挿入されることにより、縦刃１３が、底枠体３１の前縁に沿ってクシ歯状に所定の間隔で取り付けられる。かかる構成を有することにより、それぞれの縦刃１３は、横方向に僅かに摺動可能であり、衝突時の衝撃が緩和されるとともに、縦刃と縦刃の間にゴミが挟まった場合でも容易に取り除くことができる。
【００３８】
図６は、一実施の形態であるローラー１８の構成を示す図である。砂地用ゴミ収集装置１は、底枠体３１の前方において底枠体３１の前縁に沿って配置され、端部が側壁２１、２２に回転自在に支持される回転軸１７と、回転軸１７に装着されるローラー１８と、を有する。ローラー１８は、回転軸１７の軸心に直交する方向に延びるフランジ部１８１と、帯状の鋼板をねじることにより形成され、回転軸１７に沿って配置される羽根部１８２と、を備え、羽根部１８２が、フランジ部１８１の外周縁側に接合されることにより、回転軸１７に対して離隔して配置される。砂地用ゴミ収集装置１を牽引することにより、砂地に接したローラー１８が回転して砂浜（砂中）に埋もれたゴミを掻き出すことができ、また、ゴミを掻き上げて収集することにより縦刃１３の間にゴミが目詰まりしてしまう可能性を低減できる。なお、正逆自在に回転する電動モーターを回転軸１７に取り付けて、電動モーターによりローラー１８を回転駆動させるようにしても良い。
【００３９】
また、ゴミを掻き出す羽根部１８２と回転軸１７との間に隙間を設けることができるので、紐状のゴミがローラー１８に絡みついた場合でも、当該隙間にハサミ等を差し入れて切断して除去しやすい。それぞれの羽根部１８２は一定のねじり角で曲げられており、単なる平板状のものに比べて、変形し難い形状となっている。加えて、それぞれの羽根部１８２は正面視で斜め（右下がり）に接合されており、羽根部１８２の端部側から砂を掻き込んで横方向に受け流す形状となっているため、ゴミを掻き出しやすい。
【００４０】
次に、砂地用ゴミ収集装置１を用いた、砂浜におけるゴミ収集過程の一例を説明する。
【００４１】
先ず、牽引フレーム２を略水平の状態とした後、収集カゴ３を牽引フレーム２側に押し倒して、牽引フレーム２と略平行に配置された収集カゴ３の移動をロック手段１０、１１、１２により規制する。次に、バギーカーＣに砂地用ゴミ収集装置１を連結した後、図１（ｂ）に示すように牽引フレーム２を吊り上げた状態で、バギーカーＣを運転して清掃対象区域（海側）まで移動する。次いで、スイッチボックス１９を操作して、牽引フレーム２を下ろして収集カゴ３が砂地面に接する水平状態とし（図１（ａ）参照）、適宜ローラー１８を回転させながら、バギーカーＣを運転してゴミを収集する。ゴミは、図４（ａ）に破線矢印で示すように、回転軸１７の下方を通り縦刃１３にすくい上げられたり、ローラー１８に掻き上げられたりすることにより、収集カゴ３内に捕集される。
【００４２】
収集カゴ３内にゴミがたまったら、牽引フレーム２を吊り上げてゴミの集積場所まで移動し、ロック手段１０、１１、１２を解除し、ガススプリング５２、６２の反力を利用しつつ収集カゴ３を起き上げて、収集カゴ３内のゴミを取り出す。縦刃１３やローラー１８にゴミが巻き込まれている場合には除去する。ゴミを取りきれていない場合には、前述の収集過程を繰り返す。
【００４３】
本発明は、上記実施の形態ないし実施例に限定されず、その発明の趣旨を逸脱しない範囲で種々変形実施が可能である。例えば、後面形成体３２を鋼板プレートにより形成し、収集カゴ３を起き上げたときに落下する砂を当該プレートで受けることにより、砂ホコリの発生を抑制するようにしても良い。縦刃１３は、角を丸めるようにしても良く、軽量化のための孔１３２を設けるようにしても良い。スイッチボックス１９はワイヤレス化しても良い。回転軸１７は高さ位置を調整できるようにしても良い。
【産業上の利用可能性】
【００４４】
本発明は、バギーカー等の自動車により牽引され、砂地に散乱したゴミを収集する砂地用ゴミ収集装置として利用することが可能である。砂地には、砂浜に限らず、砂丘や砂漠等を含む。
【符号の説明】
【００４５】
１              砂地用ゴミ収集装置
２              牽引フレーム
２１、２２      側壁
２３            背面板
２４            牽引板
２４２          被牽引部
３              収集カゴ
３１            底枠体
３１１          ふるい部
３２            後面形成体
３３、３４      側面形成体
４              牽引フレーム昇降機構
４１            牽引アーム
４３            油圧アクチュエータ
５、６          収集カゴ昇降機構
５１、６１      傾動アーム
５２、６２      ガススプリング（ばね部材）
７１、８１      連結用ピン
７２、８２      上部受金具
１０、１１      第１ロック手段
１０１、１１１  上部受金具
１０２、１１２  ロック用ピン
１２            第２ロック手段
１２１          挿通孔
１２２          カギ部材
１３            縦刃
１３１          傾斜部
１４            第１ロッド
１５            第２ロッド
１６            筒体
１７            回転軸
１８            ローラー
１８１          フランジ部
１８２          羽根部
【要約】
【課題】作業員の負担を軽減する等して、清掃効率を向上させることが可能な砂地用ゴミ収集装置を提供する。
【解決手段】砂地用ゴミ収集装置１は、バギーカーＣに連結される牽引フレーム２と、牽引フレーム２の内側に配置可能な収集カゴ３と、牽引フレーム２を上下動させる牽引フレーム昇降機構４と、収集カゴ３を上下動させる収集カゴ昇降機構５、６と、牽引フレーム２に対する収集カゴ３の移動を規制するロック手段と、を有する。牽引フレーム昇降機構４と収集カゴ昇降機構５、６とを作動させることにより、段階的に収集カゴ３を起き上げることができる。
【選択図】図１【図１】
0006853991.tif 000002
【図２】
0006853991.tif 000003
【図３】
0006853991.tif 000004
【図４】
0006853991.tif 000005
【図５】
0006853991.tif 000006
【図６】
0006853991.tif 000007